(57)【特許請求の範囲】
【請求項１】
第１の電圧制御発振器と、第２の電圧制御発振器と、前記第１の電圧制御発振器の発振周波数と前記第２の電圧制御発振器の発振周波数の差周波数を演算し差周波数信号を出力する差周波数発生部と、前記差周波数発生部か前記第２の電圧制御発振器のいずれかを選択するスイッチ回路と、第１または第２の周波数を有する基準信号が入力される基準信号入力端子と、前記基準信号入力端子から入力される基準信号の周波数と前記スイッチ回路の出力信号の周波数とを比較する比較制御部とを備え、
前記比較制御部は、前記第２の電圧制御発振器の周波数調整を行う際は、前記第２の電圧制御発振器の周波数と前記基準信号入力端子から入力される基準信号の第２の周波数とを比較し、両者が一致するよう前記第２の電圧制御発振器を制御し、
前記第１の電圧制御発振器の周波数調整を行う際は、前記スイッチ回路から出力される差周波数と前記基準信号入力端子から入力される基準信号の第１の周波数とを比較し、両者が一致するよう前記第１の電圧制御発振器を制御することを特徴とするＦＭ音声キャリア周波数調整装置。
【発明の詳細な説明】
【０００１】
【発明の属する技術分野】
本発明は、ＶＴＲ等の磁気記録再生装置におけるＦＭ音声キャリア周波数調整装置に関するものである。
【０００２】
【従来の技術】
近年、映像音響機器の性能向上には目覚ましいものがあり、特に映像技術の向上に伴い機器の使用者のレベルも向上してきている。そのため、ＨｉＦｉＶＴＲにおいては、音声が無信号の時の画質即ちＦＭ音声記録キャリア周波数の影響による色信号ビートを完全除去する技術、つまりＦＭ音声記録キャリア周波数の左チャンネル（以下、Ｌｃｈと記す）と右チャンネル（以下、Ｒｃｈと記す）の周波数の差周波数を精度よく色信号ビートの見えにくい周波数に調整する技術について注目されている。
【０００３】
以下に従来のＦＭ音声キャリア周波数調整装置について説明する。
従来、ＦＭ音声記録キャリア周波数の調整装置は、ＬｃｈとＲｃｈはそれぞれ個別にＶＨＳ規格を満足する値に調整することが知られており、その方式は可変抵抗器を用いるアナログ方式に始まり、今日のデジタル／アナログ変換器（以下、ＤＡＣと記す）を用いたＺＡＰ技術あるいはＤＡＣをカウンタで制御するデジタルオートチューニングシステムにおいても変わることなく、ＬｃｈとＲｃｈはそれぞれ個別に調整している。
【０００４】
その調整方法における構成を図２に示す。図２は従来のＦＭ音声記録キャリア周波数調整装置のブロック図を示すものである。図３において、３１はＬｃｈ側の第１の電圧制御発振器（以下、第１のＶＣＯと記す）、３２はＲｃｈ側の第２の電圧制御発振器（以下、第２のＶＣＯと記す）、３４及び３５は第１及び第２のＶＣＯ３１及び３２のいずれかを選択するスイッチ回路、３３は基準信号入力端子３６から入力される基準信号周波数と第１のＶＣＯ３１または第２のＶＣＯ３２からスイッチ回路３４を介して出力される発振周波数とを比較する比較制御部で、その比較結果に応じて第１のＶＣＯ３１または第２のＶＣＯ３２を制御する。
【０００５】
以上のように構成された従来のＦＭ音声キャリア周波数調整装置について、以下その動作について説明する。
【０００６】
まず、Ｌｃｈを調整する時は、スイッチ回路３４及び３５はそれぞれ端子ａ側に接続され、第１のＶＣＯ３１から出力される信号Ｓ１がスイッチ回路３４を介して、信号Ｓ３として比較制御部３３に入力される。比較制御部３３には、ビデオ色信号のサブキャリア周波数のように周波数精度の高い基準信号Ｓ１２が基準信号入力端子３６から入力され、この基準信号Ｓ１２と信号Ｓ３とを周波数比較する。周波数が異なっていれば、その情報を信号Ｓ４としてスイッチ回路３５を介して信号Ｓ５として第１のＶＣＯ３１に入力され、第１のＶＣＯ３１の発振周波数が基準信号Ｓ１２の周波数と一致するよう制御する。第１のＶＣＯ３１の発振周波数と基準信号Ｓ１２の周波数とが一致したら、第１のＶＣＯ３１は出力端子３８から信号Ｓ８を出力する。
【０００７】
Ｒｃｈを調整する時は、スイッチ３４及び３５を端子ｂ側に切り換えて、上記のＬｃｈの調整時と同様に、基準信号Ｓ１２の周波数と第２のＶＣＯ３２の発振周波数とが一致するよう動作し、一致したら出力端子３９より信号Ｓ９として出力される。出力端子３８から出力される信号と出力端子３９から出力される信号とはそれぞれ加算され、ＨｉＦｉヘッド（図示せず）に入力される。
【０００８】
【発明が解決しようとする課題】
しかしながら上記の従来の構成では、ＦＭ音声記録キャリア周波数のＬｃｈとＲｃｈの周波数の差周波数を精度よく色信号ビートの見えにくい周波数に調整する必要があるが、第１のＶＣＯ３１と第２のＶＣＯ３２の発振周波数はそれぞれ個別に調整され、お互いの調整値には相関関係がないため、ＦＭ音声記録キャリア周波数のＬｃｈとＲｃｈの差周波数のバラツキはＬｃｈとＲｃｈの周波数バラツキの和となり、ＦＭ音声記録キャリア周波数のＬｃｈとＲｃｈの周波数の差周波数を精度よく色信号ビートの見えにくい周波数に調整することができない。このバラツキを小さくするためには調整にかなり時間がかかり、非常に煩雑であるという問題点を有している。
【０００９】
本発明は上記従来の問題点を解決するもので、ＦＭ音声記録キャリア周波数のＬｃｈとＲｃｈの周波数の差周波数の調整バラツキを極力抑えることができるＦＭ音声キャリア周波数調整装置を提供することを目的とする。
【００１０】
【課題を解決するための手段】
この目的を達成するために本発明のＦＭ音声キャリア周波数調整装置は、第１の電圧制御発振器と、第２の電圧制御発振器と、前記第１の電圧制御発振器の発振周波数と前記第２の電圧制御発振器の発振周波数の差周波数を演算し差周波数信号を出力する差周波数発生部と、前記差周波数発生部か前記第２の電圧制御発振器のいずれかを選択するスイッチ回路と、第１または第２の周波数を有する基準信号が入力される基準信号入力端子と、前記基準信号入力端子から入力される基準信号の周波数と前記スイッチ回路の出力信号の周波数とを比較する比較制御部とを備え、前記比較制御部は、前記第２の電圧制御発振器の周波数調整を行う際は、前記第２の電圧制御発振器の周波数と前記基準信号入力端子から入力される基準信号の第２の周波数とを比較し、両者が一致するよう前記第２の電圧制御発振器を制御し、前記第１の電圧制御発振器の周波数調整を行う際は、前記スイッチ回路から出力される差周波数と前記基準信号入力端子から入力される基準信号の第１の周波数とを比較し、両者が一致するよう前記第１の電圧制御発振器を制御するものである。
【００１２】
この構成によって、ＬｃｈとＲｃｈの差周波数の調整バラツキを極力抑えることが可能となり、ＦＭ音声記録キャリア周波数の影響による色信号ビートを除去することができる。
【００１３】
【発明の実施の形態】
本発明の請求項１に記載の発明は、第１の電圧制御発振器と、第２の電圧制御発振器と、前記第１の電圧制御発振器の発振周波数と前記第２の電圧制御発振器の発振周波数の差周波数を演算し差周波数信号を出力する差周波数発生部と、前記差周波数発生部か前記第２の電圧制御発振器のいずれかを選択するスイッチ回路と、第１または第２の周波数を有する基準信号が入力される基準信号入力端子と、前記基準信号入力端子から入力される基準信号の周波数と前記スイッチ回路の出力信号の周波数とを比較する比較制御部とを備え、前記比較制御部は、前記第２の電圧制御発振器の周波数調整を行う際は、前記第２の電圧制御発振器の周波数と前記基準信号入力端子から入力される基準信号の第２の周波数とを比較し、両者が一致するよう前記第２の電圧制御発振器を制御し、前記第１の電圧制御発振器の周波数調整を行う際は、前記スイッチ回路から出力される差周波数と前記基準信号入力端子から入力される基準信号の第１の周波数とを比較し、両者が一致するよう前記第１の電圧制御発振器を制御するものであり、ＦＭ音声記録キャリア周波数のＬｃｈとＲｃｈの周波数の差周波数のバラツキを極力抑えることができるという作用を有する。
【００１４】
以下、本発明の実施の形態について、図１を用いて説明する。
（実施の形態１）
図１は本実施の形態のＦＭ音声キャリア周波数調整装置のブロック図を示すものである。図１において、１１はＬｃｈ側の第１のＶＣＯ、１２はＲｃｈ側の第２のＶＣＯで、少なくともＬｃｈ調整時は第１のＶＣＯ１１及び第２のＶＣＯ１２の両方が動作している。１３は基準信号入力端子１７から入力される基準信号の周波数と第１のＶＣＯ１１または第２のＶＣＯ１２からスイッチ回路１４を介して入力される発振周波数とを比較する比較制御部で、その比較結果に応じて第１のＶＣＯ１１または１２を制御する。１６は第１のＶＣＯ１１と第２のＶＣＯ１２のそれぞれの発振周波数を減算して差周波数信号を発生する差周波数発生部、１４及び１５は第１のＶＣＯ１１及び第２のＶＣＯ１２のいずれかを選択するスイッチ回路、１７は基準信号を入力する基準信号入力端子で、例えばビデオ色信号のサブキャリア周波数のように周波数精度の高い基準信号が入力される。１８は第１のＶＣＯ１１の出力端子、１９は第２のＶＣＯ１２の出力端子である。
【００１５】
以上のように構成された本実施の形態のＦＭ音声キャリア周波数調整装置について、以下その動作を説明する。
【００１６】
まず、Ｒｃｈの調整について説明する。Ｒｃｈの調整を行う時は、スイッチ回路１４及び１５はそれぞれ端子ｂ側に接続され、第２のＶＣＯ１２から出力される発振信号Ｓ２はスイッチ回路１４を介して、信号Ｓ３として比較制御部１３に入力される。この時、差周波数発生部１６の出力信号はスイッチ回路１４に入力されないため、比較制御部１３にも入力されない。比較制御部１３には、例えばビデオ色信号のサブキャリア周波数のように周波数精度の高い基準信号が基準信号入力端子１７から入力され、信号Ｓ３の発振周波数と比較する。周波数が異なっていればその情報を信号Ｓ４として出力し、スイッチ回路１５を介して信号Ｓ６として第２のＶＣＯ１２に入力され、第２のＶＣＯ１２の発振周波数が基準信号Ｓ１２の周波数と一致するよう制御する。第２のＶＣＯ１２の発振周波数が基準信号Ｓ１２の周波数と一致したら、出力端子１９から信号Ｓ９として出力される。
【００１７】
次に、Ｌｃｈを調整する時は、スイッチ回路１４及び１５は端子ａ側に接続され、第１のＶＣＯ１１から出力された信号Ｓ１は差周波数発生部１６に入力される。差周波数発生部１６では、第１のＶＣＯ１１の発振信号Ｓ１の周波数と、既に調整済みの第２のＶＣＯ１２の発振信号Ｓ２の周波数とを減算し、減算結果を差周波数信号Ｓ７として出力する。なお、この時の信号Ｓ２は第２のＶＣＯ１２の出力信号Ｓ９と同一の信号である。差周波数信号Ｓ７はスイッチ回路１４を介して信号Ｓ３として比較制御部１３に入力される。比較制御部１３には、例えばビデオ色信号のサブキャリア周波数のように周波数精度の高い基準信号が基準信号入力端子１７から入力される。この時の基準信号Ｓ１２の周波数は、Ｒｃｈ調整時の周波数とは異なり、ＬｃｈとＲｃｈの所望の差周波数になっている。基準信号Ｓ１２の周波数と信号Ｓ３の発振周波数と比較し、周波数が異なっていればその情報を信号Ｓ４として出力し、スイッチ回路１５を介して信号Ｓ５として第１のＶＣＯ１１に入力され、第１のＶＣＯ１１の発振周波数が基準信号Ｓ１２の周波数と一致するよう制御する。第１のＶＣＯ１１の発振周波数が基準信号Ｓ１２の周波数と一致したら、出力端子１８から信号Ｓ８として出力される。出力端子１８から出力される信号と出力端子１９から出力される信号とはそれぞれ加算され、ＨｉＦｉヘッド（図示せず）に入力される。
【００１８】
以上のように本実施の形態によれば、ＦＭ音声キャリア周波数のＬｃｈとＲｃｈの周波数の差周波数発生部１６を設けることにより、ＦＭ音声記録キャリア周波数のＬｃｈとＲｃｈの周波数の差周波数のバラツキを極力抑え、差周波数を精度良く所望の周波数に調整することができる。
【００１９】
なお、以上の説明では比較制御部１３は第２のＶＣＯ１２の調整後に第１のＶＣＯ１１を調整する構成としたが、第１のＶＣＯ１１の調整後に第２のＶＣＯ１２を調整する構成としてもよい。
【００２０】
【発明の効果】
以上のように本発明は、ＦＭ音声キャリア周波数のＬｃｈとＲｃｈの周波数の差周波数のバラツキを極力抑えることができ、差周波数を精度よく色信号ビートの見えにくい周波数に調整することができるという優れた効果が得られる。
【図面の簡単な説明】
【図１】本発明の実施の形態におけるＦＭ音声キャリア周波数調整装置のブロック図
【図２】従来のＦＭ音声キャリア周波数調整装置のブロック図
【符号の説明】
１１  第１の電圧制御発振器
１２  第２の電圧制御発振器
１３  比較制御部
１４  スイッチ回路
１６  差周波数発生部
【図１】
0003551651.tif 000002
【図２】
0003551651.tif 000003